(57)【要約】【課題】  内部に収容するフレキシブル基板を適切に支持することで組み立てが容易となるレバースイッチ装置を提供する。【解決手段】  レバースイッチ装置１は、レバー本体３と操作部４とフレキシブル基板５とを備え、レバー本体３を構成する第１レバー体６及び第２レバー体７のうち第１レバー体６は、分割面において長手方向に交差する幅方向に、所定の第１寸法Ｌ１だけ離れて対向する係合部１５を有し、フレキシブル基板５は、係合部１５に対応する位置に被係合部５０を有し、被係合部５０は、幅方向に突出する可撓部５２を有し、かつ、幅方向の寸法が第１寸法Ｌ１よりも大きい第２寸法Ｌ２であり、フレキシブル基板５は、可撓部５２が撓んだ状態で係合部１５に内側から圧接することで係合部１５により支持される。【選択図】  図５
2020004638.tif 000002
【特許請求の範囲】
【請求項１】
長手方向に沿った分割面を有する第１レバー体及び第２レバー体が互いに重ね合わされて成る長寸のレバー本体と、
前記レバー本体の所定箇所に配設されるスイッチ部を作動する操作部と、
前記第１レバー体と前記第２レバー体との間に配設され、前記操作部から前記レバー本体の基端方向へ前記長手方向に沿って延設されるフレキシブル基板と、を備え、
前記第１レバー体は、前記分割面において前記長手方向に交差する幅方向に、所定の第１寸法だけ離れて対向する係合部を有し、
前記フレキシブル基板は、前記係合部に対応する位置に被係合部を有し、前記被係合部は、前記幅方向に突出する可撓部を有し、かつ、前記幅方向の寸法が前記第１寸法よりも大きい第２寸法であり、
前記フレキシブル基板は、前記可撓部が撓んだ状態で前記係合部に内側から圧接することで前記係合部により支持される、
レバースイッチ装置。
【請求項２】
前記フレキシブル基板は、前記幅方向の少なくとも一方の側部において前記長手方向に離れた２カ所に、前記幅方向の他方側へ切り込まれた２つのスリットを有し、前記２つのスリットの間に形成される基板片が前記被係合部の前記可撓部を成している、
請求項１に記載のレバースイッチ装置。
【請求項３】
前記第１レバー体が有する前記係合部は、前記幅方向に前記第１寸法だけ離れて対向すると共に前記分割面に直交する方向へ延びる係合面を有する、
請求項１又は２に記載のレバースイッチ装置。
【請求項４】
前記可撓部の側縁部は、前記長手方向に沿った直線状を成しており、かつ、前記係合面よりも前記長手方向の寸法が大きい、
請求項３に記載のレバースイッチ装置。
【請求項５】
前記第１レバー体の前記幅方向において対向する前記係合部の間に、前記フレキシブル基板の裏面を支持する裏面支持部を更に備える、
請求項１〜４の何れかに記載のレバースイッチ装置。
【発明の詳細な説明】
【技術分野】
【０００１】
本発明は、ロータリースイッチ又はプッシュスイッチなどの操作部を有し、フレキシブル基板による配線構造を有するレバースイッチ装置に関する。
【背景技術】
【０００２】
車両のステアリングホイール等の操縦装置の近傍に配置され、ライト及びワイパ等を操作するための操作レバーのように、先端にスイッチが設けられ、スイッチから基端へフレキシブル基板が内部を延設されたレバースイッチ装置がある（例えば、特許文献１参照）。特許文献１のレバースイッチ装置では、長手方向に沿った分割面によりレバー本体が分割され、その内部にフレキシブル基板が収容されている。
【先行技術文献】
【特許文献】
【０００３】
【特許文献１】特開２０１６−１５７６１６号公報
【発明の概要】
【発明が解決しようとする課題】
【０００４】
ところで、特に車両のレバースイッチ装置などでは、レバー本体がその長手方向の基端部、中間部、及び基端部の各部の間で屈曲した構成となっている場合がある。その場合、レバー本体の軸心は基端部、中間部、及び先端部の各部において同軸にならない。このようなレバー本体は、フレキシブル基板に「浮き」が生じやすいため、フレキシブル基板を内部に収容する作業が煩瑣になる。なお、「浮き」による作業性の低下は、屈曲部がある場合により顕著になるが、レバー本体に屈曲部がない直線的なシフトレバー装置においても問題となる。
【０００５】
これに対し、レバー本体内に鉤爪状の返しを有する係止部を設け、フレキシブル基板の端部をこの返し部分によって支持することが考えられる。しかしながら、レバー本体は一般的に樹脂を型成形して製造されるため、返し部分を有する係止部を形成できる箇所は、型抜き方向を確保する必要性からレバー本体の特定条件の部分に限られてしまう。すると、長寸のレバー本体においては必ずしもフレキシブル基板を適切に支持できない。
【０００６】
そこで本発明は、内部に収容するフレキシブル基板を適切に支持することで組み立てが容易となるレバースイッチ装置を提供することを目的とする。
【課題を解決するための手段】
【０００７】
本発明に係るレバースイッチ装置は、長手方向に沿った分割面を有する第１レバー体及び第２レバー体が互いに重ね合わされて成る長寸のレバー本体と、レバー本体の所定箇所に配設されるスイッチ部を作動する操作部と、第１レバー体と第２レバー体との間に配設され、操作部からレバー本体の基端方向へ長手方向に沿って延設されるフレキシブル基板と、を備え、第１レバー体は、分割面において長手方向に交差する幅方向に、所定の第１寸法だけ離れて対向する係合部を有し、フレキシブル基板は、係合部に対応する位置に被係合部を有し、被係合部は、幅方向に突出する可撓部を有し、かつ、幅方向の寸法が第１寸法よりも大きい第２寸法であり、フレキシブル基板は、可撓部が撓んだ状態で係合部に内側から圧接することで係合部により支持される。
【０００８】
このような構成により、係合部に返し部分が不要となるため、レバー本体を型成形する場合であっても、係合部を適宜必要な箇所に設けることができる。その結果、フレキシブル基板を第１レバー体に対して適切に支持でき、レバー本体の組み立て作業を容易化することができる。
【０００９】
また、上述したレバースイッチ装置において、フレキシブル基板は、幅方向の少なくとも一方の側部において長手方向に離れた２カ所に、幅方向の他方側へ切り込まれた２つのスリットを有し、２つのスリットの間に形成される基板片が被係合部の可撓部を成していてもよい。
【００１０】
このような構成により、フレキシブル基板の被係合部は、可撓部において容易に撓むことができる。そのため、フレキシブル基板は、第１レバー体に収容する際に可撓部が優先的に撓むことで、基板上の配線部分の変形を抑制でき、配線パターンにストレスが付与されることを防止できる。
【００１１】
また、上述したレバースイッチ装置において、第１レバー体が有する係合部は、幅方向に第１寸法だけ離れて対向すると共に分割面に直交する方向へ延びる係合面を有していてもよい。
【００１２】
このような構成により、対向する係合面の間にフレキシブル基板の被係合部を係止する作業を容易に行うことができる。また、係止されたフレキシブル基板は、被係合部が係合面に対して内側から圧接するため、確実に支持することができる。
【００１３】
また、上述したレバースイッチ装置において、可撓部の側縁部は、長手方向に沿った直線状を成しており、かつ、係合面よりも長手方向の寸法が大きくてもよい。
【００１４】
このような構成により、フレキシブル基板を第１レバー体に組み付ける際に、多少の位置ズレがあったとしても、可撓部の側縁部は確実に係合面に当接して支持されるため、組み付け作業が容易になる。
【００１５】
また、上述したレバースイッチ装置において、第１レバー体の幅方向において対向する係合部の間に、フレキシブル基板の裏面を支持する裏面支持部を更に備えていてもよい。
【００１６】
このような構成により、係合部の間にてフレキシブル基板が深く沈み込み過ぎないように、適当な位置に保持することができる。
【発明の効果】
【００１７】
本発明によれば、内部に収容するフレキシブル基板を適切に支持することで組み立てが容易となるレバースイッチ装置を提供することができる。
【図面の簡単な説明】
【００１８】
【図１】本実施の形態に係るレバースイッチ装置の平面図である。
【図２】レバースイッチ装置の分解斜視図である。
【図３】第１レバー体上にＦＰＣが配設された状態を示す平面図である。
【図４】レバースイッチ装置１を部分的に拡大した斜視図であり、（ａ）は第１レバー体６の部分拡大図を、（ｂ）はＦＰＣ５の部分拡大図を、それぞれ示している。
【図５】被係合部が係合部に係止される様子を強調して示す模式図である。
【図６】ＦＰＣが第１レバー体に組み付けられた構成を示す斜視図である。
【発明を実施するための形態】
【００１９】
（実施の形態）
本発明の実施の形態について、以下、図面を参照しつつ説明する。
【００２０】
［レバースイッチ装置の全体構成］
図１は、本実施の形態に係るレバースイッチ装置１の平面図である。図２は、レバースイッチ装置１の分解斜視図である。このレバースイッチ装置１は、例えば車両のステアリングホイール等の操縦装置の近傍に配置され、ライト及びワイパ等を操作するための操作レバーとして用いられる。
【００２１】
図１に示すように、レバースイッチ装置１は、車両等に対して揺動可能に接続される接続部２と、この接続部２から延びるレバー本体３と、レバー本体３に対して接続部２とは反対側に位置する操作部４とを備えている。また、レバー本体３の内部には、操作部４から接続部２へ延びるフレキシブル基板（Flexible printed circuits:ＦＰＣ）５が収容されている。
【００２２】
図２に示すように、レバー本体３は長寸の円筒状を成しており、例えばＡＢＳ樹脂又はポリアミド樹脂等の絶縁性樹脂で構成されている。レバー本体３は、その長手方向に沿った分割面を有する第１レバー体６と第２レバー体７とが、互いの分割端面６ｄ，７ｄが対向するようにして重ね合わされることで、中空のケーシングを成している。
【００２３】
なお、説明の便宜上、レバー本体３に対して接続部２のある側を基端側と称し、その反対側を先端側と称する。また、第１レバー体６に対して第２レバー体７のある側は上側とし、その反対側を下側とする。
【００２４】
図１に示すように、レバー本体３は、基端から先端へ至る途中に屈曲部３ｃを有している。すなわち、レバー本体３は基端側に位置する直管状の基端側レバー本体３ａと、先端側に位置する直管状の先端側レバー本体３ｂとを有し、これらの境界部分（接続部分）に屈曲部３ｃが存在している。そのため、基端側レバー本体３ａと先端側レバー本体３ｂとは同軸ではなく、両者の軸心は相対的に傾斜している。
【００２５】
ここで、第１レバー体６において基端側レバー本体３ａに対応する部分を基端側第１レバー体６ａ、先端側レバー本体３ｂに対応する部分を先端側第１レバー体６ｂ、とそれぞれ称する（図２参照）。同様に、第２レバー体７において基端側レバー本体３ａに対応する部分を基端側第２レバー体７ａ、先端側レバー本体３ｂに対応する部分を先端側第２レバー体７ｂ、とそれぞれ称する（図２参照）。
【００２６】
本実施の形態に係るレバー本体３では、第１レバー体６と第２レバー体７とに分ける分割面がレバー本体３の軸心から偏心して設定されている。具体的には、レバー本体３の軸心が第１レバー体６に含まれるように、分割面は軸心よりも上方に設定されている。よって、第１レバー体６は第２レバー体７に比べて深さ寸法が大きくなっている。
【００２７】
接続部２とレバー本体３との間にはフランジ８が介在している。即ち、第１レバー体６の基端部には、円板形状のフランジ８が、その一方の主面によってレバー本体３の基端部を閉鎖するようにして設けられ、他方の主面には接続部２が接続されている。このフランジ８の上部には、ＦＰＣ５を通すための切欠き８ａが形成されている。切欠き８ａは、左右の辺と下辺とを有する矩形状の輪郭を有し、その上辺部分はフランジ８の上端部分で開口している。また、切欠き８ａの下辺は、第１レバー体６の分割端面６ｄとほぼ同じ高さか、あるいは、それより若干下方に位置している。
【００２８】
図２に示すように、基端側第１レバー体６ａは、その内部がほぼ全体にわたって空隙１０になっている。これに対して先端側第１レバー体６ｂの内部には、屈曲部３ｃ側に寄せて基板支持体１１が設けられている。基板支持体１１は、レバー本体３内に配設されるＦＰＣ５を下方及び側方から支持するよう、レバー本体３の内周面に立設された複数のリブ壁１２を有している。
【００２９】
更に、基板支持体１１に対してシャフト受け部１３が一体的に形成されている。このシャフト受け部１３は、先端側レバー本体３ｂと同軸状に、先端側へ開口して形成されており、操作部４を支持するシャフト（図示せず）の基端部が嵌入される。先端側第１レバー体６ｂにおいて、基板支持体１１及びシャフト受け部１３の先端側には空隙１４が形成されている。
【００３０】
ところで、複数のリブ壁１２のうち一部のリブ壁１２は、ＦＰＣ５を第１レバー体６に収容する際にこのＦＰＣ５を係止する係合部１５を成し、また別の一部のリブ壁１２は、ＦＰＣ５の裏面を支持する裏面支持部１６を成している。これらの構成については後に詳述する。
【００３１】
図１に示すように、レバースイッチ装置１が備える操作部４は、回転操作部２０及びプッシュ操作部２１を有している。回転操作部２０は円筒形状を成し、レバー本体３の先端部に対して同軸状に配置され、先端側レバー本体３ｂと回転操作部２０とは互いの内部空間が連通している。また、回転操作部２０の内方には、ＦＰＣ５に組み付けられた回転スイッチ部３３（図２参照）が配設されている。そして、操作者により回転操作部２０が回転操作されると、回転スイッチ部３３が駆動し、その回転位置に応じてＦＰＣ５が有する複数の端子のうち何れかの端子間が短絡又は開放される。
【００３２】
プッシュ操作部２１は円柱形状を成し、回転操作部２０の先端側の開口に内嵌しており、レバー本体３の軸心方向に沿って往復移動可能になっている。また、回転操作部２０の内方には、ＦＰＣ５に組み付けられたプッシュスイッチ部３５（図２参照）が配設されている。そして、操作者によりプッシュ操作部２１がプッシュ操作されると、プッシュスイッチ部３５が駆動し、その位置に応じてＦＰＣ５が有する複数の端子のうち何れかの端子間が短絡又は開放される。
【００３３】
図２に示すように、ＦＰＣ５は、例えばポリイミド樹脂等から成る可撓性を有する絶縁フィルム上に配線を敷設したものであり、操作部４からレバー本体３の基端方向へ長手方向に沿って延設されて長寸の帯状を成している。このＦＰＣ５の基端部分には、車両本体側の基板と接続される接続端子３０が設けられている。ＦＰＣ５は、この基端部分から先端側へ向かって帯状の絶縁フィルムが延設され、絶縁フィルムの幅方向の中央付近に、接続端子３０から延びる配線が敷設されている。
【００３４】
ＦＰＣ５の絶縁フィルムは、レバー本体３の屈曲部３ｃに対応する位置であって、ＦＰＣ５の全長のおよそ半分の位置に第１屈曲部３１ａを有し、第１屈曲部３１ａの先端側にて第１配線部３２と第２配線部３４とに分岐している。このうち第１配線部３２は、分岐箇所から先端側レバー本体３ｂに沿って延びており、回転スイッチ部３３が組み付けられている。なお、回転スイッチ部３３は、上述した回転操作部２０と共に回転する回転駆動部、回転駆動部の回転に応じて端子間の接続状態が切り替わるロータリースイッチ、及び、第１配線部３２を固定するホルダ等を含む。
【００３５】
第２配線部３４は、分岐箇所にて第１配線部３２から側方へ延びた後、直角に曲がって第１配線部３２と平行に延びている。なお、第２配線部３４は、レバー本体３への収容時には側方への延設部分が途中で折り返されており、その結果、第１配線部３２と平行に延びる部分は第１配線部３２の直上に配設される。この第２配線部３４の先端部には、プッシュスイッチ部３５が組み付けられている。なお、プッシュスイッチ部３５は、上述したプッシュ操作部２１と共に往復動するオン・オフスイッチ、及び、第２配線部３４を固定するホルダ等を含む。
【００３６】
このＦＰＣ５は、第１レバー体６と第２レバー体７との間に配設される。図３は、第１レバー体６上にＦＰＣ５が配設された状態を示す平面図である。図３に示すように、ＦＰＣ５において第１屈曲部３１ａよりも基端側の部分は、基端側第１レバー体６ａ内に配置され、更に基端側の部分はフランジ８の切欠き８ａを通じて接続部２側に配設される。なお、ＦＰＣ５は、切欠き８ａに対応する位置にも屈曲部（第２屈曲部３１ｂ）を有している。
【００３７】
第１レバー体６内に配設されたＦＰＣ５は、その第１屈曲部３１ａよりも先端側の部分が、先端側第１レバー体６ａ内の基板支持体１１によって下方及び側方から支持される。また、ＦＰＣ５の第１配線部３２に組み付けられた回転スイッチ部３３は、その基端側部分が、先端側第１レバー体６ａの先端に設けられた空隙１４に収容され、先端側部分は先端側第１レバー体６ａから先端側へ突出した状態となる。
【００３８】
このようにしてＦＰＣ５が配設された第１レバー体６に対し、上方から第２レバー体７が重ね合される。図２に示すように、第２レバー体７は、深さ寸法が第１レバー体６よりも小さいことを除くと、分割面を挟んで第１レバー体６と対称的な外形を成している。そして、第１レバー体６と第２レバー体７とが重ね合さることで円形断面のレバー本体３が構成され、ＦＰＣ５はこのレバー本体３の内部に収容される。
【００３９】
なお、上述したように、レバー本体３の先端部からは回転スイッチ部３３の先端側部分が突出しており、この部分には回転操作部２０が被せられる。更に、回転操作部２０内において回転スイッチ部３３の先端側にはプッシュスイッチ部３５が収容され、その先端側にはプッシュ操作部２１が取り付けられる。このようにして、本実施の形態に係るレバースイッチ装置１は構成されている。
【００４０】
［ＦＰＣの係止構造］
ところで、本実施の形態に係るレバースイッチ装置１は、ＦＰＣ５を内部に収容しつつレバー本体３を組み立てる作業を容易化するために、ＦＰＣ５を第１レバー体６に対して適切に支持できる構成を備えている。以下、これについて説明する。
【００４１】
図４は、レバースイッチ装置１を部分的に拡大した斜視図であり、（ａ）は、第１レバー体６の部分拡大図であって、図２の破線で囲まれた部分Ａの拡大図を示し、（ｂ）は、ＦＰＣ５の部分拡大図であって、図２の破線で囲まれた部分Ｂの拡大図を示している。図４（ａ）に示すように、第１レバー体６の基板支持体１１は、ＦＰＣ５に係合してこれを側方から支持する係合部１５と、ＦＰＣ５を裏面側から支持する裏面支持部１６とを有している。上述したように、これらはレバー本体３の内周面に立設された複数のリブ壁１２により構成されている。
【００４２】
より詳述すると、係合部１５は、レバー本体３の軸心方向と直交する板状のリブ壁１２で構成されている。また、第１レバー体６にはこのような係合部１５が２つ、対を成して設けられており、各係合部１５は、レバー本体３の軸心を挟んで互いの端面が対向するように配置されている。各係合部１５において互いに対向する端面は、ＦＰＣ５と係合する係合面４０を成している。この係合面４０は、第１レバー体６の深さ方向、即ち、分割面に直交する方向へ直線的に延びており、各係合面４０は互いに幅方向に所定の第１寸法Ｌ１だけ離隔している。
【００４３】
一方、図４（ｂ）に示すように、ＦＰＣ５において、第１屈曲部３１ａと分岐箇所との間であって、第１レバー体６の係合部１５に対応する位置には、幅方向（側方）に突出した被係合部５０が形成されている。被係合部５０は、ＦＰＣ５の側部においてＦＰＣ５の長手方向に離れた２カ所に設けられたスリット５１と、これらのスリット５１の間に設けられた可撓部５２とを有している。
【００４４】
長手方向に離れた２つのスリット５１は、幅方向の深さ寸法（可撓部５２からの深さ寸法）が互いに同一であり、最深部分５３は円弧状の輪郭を有している。可撓部５２は２つのスリット５１に挟まれて形成されており、ＦＰＣ５の絶縁シート部分から成る基板片で構成されている。可撓部５２の側縁部５４は、ＦＰＣ５の長手方向に沿った直線状を成している。また、側縁部５４の長さ寸法は、係合部１５の係合面４０の同方向の寸法（厚み寸法）よりも大きい。
【００４５】
本実施の形態に係るレバースイッチ装置１では、このような被係合部５０が、ＦＰＣ５の幅方向の一方側と他方側の両方に形成されている。各被係合部５０は、ＦＰＣ５の長手方向における位置が一致しており、かつ、被係合部５０が設けられている箇所でのＦＰＣ５の幅方向の寸法は、上記第１寸法Ｌ１よりも大きい第２寸法Ｌ２となっている。
【００４６】
ＦＰＣ５を第１レバー体６に組み付ける際、このような被係合部５０が係合部１５によって係止される。図５は、図３のＶ−Ｖ矢視断面図であり、被係合部５０が係合部１５に係止される様子を強調して示す模式図である。図６は、ＦＰＣ５が第１レバー体６に組み付けられた構成を示す斜視図である。
【００４７】
図５の上図に示すように、作業者による組み立ての際、第１レバー体６に対してＦＰＣ５が上方から接近し、ＦＰＣ５の被係合部５０が２つの係合部１５の間に押し込まれる。すると、ＦＰＣ５は、図５の下図に示すように、係合部１５の間にて可撓部５２が撓むように湾曲した状態となり、係合面４０に対して内側から側縁部５４が圧接する。これにより、ＦＰＣ５は係合部１５により強固に支持され、図６に示すように第１レバー体６内に安定的に支持される。
【００４８】
なお、ＦＰＣ５の被係合部５０は、上述したようにスリット５１に挟まれた所定寸法の可撓部５２を有し、可撓部５２は適度な柔軟性と弾力性を有する。そのため、ＦＰＣ５が係合部１５の間に押し込まれたとき、可撓部５２は係合面４０に適度な圧力で当接しつつも、もっぱら可撓部５２が変形することでＦＰＣ５における配線部分へのストレス付与を回避することができる。
【００４９】
また、上述したように第１レバー体６は、ＦＰＣ５の裏面を支持する裏面支持部１６を備えている。詳述すると、図４（ａ）に示すように、一対の係合部１５に対して基端側の近傍には第１裏面支持部４１が設けられ、一対の係合部１５の間には第２裏面支持部４２が設けられている。
【００５０】
第１裏面支持部４１は、レバー本体３の軸心方向に直交する板状のリブ壁１２で構成されている。第１裏面支持部４１の上端部には、上述した係合部１５の係合面４０の上端よりも下方の位置に、第１支持面４３が設けられている。
【００５１】
第２裏面支持部４２は、幅方向に直交する板状のリブ壁１２で構成されている。第２裏面支持部４２の上端部には、係合面４０の上端よりも下方位置に、第２支持面４４が設けられている。第２支持面４４は、一対の係合部１５間の位置を挟んで基端側から先端側へ延設されている。なお、本実施の形態では、第２支持面４４は第１支持面４３よりも更に下方に位置するよう設定されている。また、第２裏面支持部４２の基端側部分は、第１裏面支持部４１の先端側の主面に対して一体的に接続されている。
【００５２】
このような裏面支持部１６（第１裏面支持部４１，第２裏面支持部４２）により、ＦＰＣ５の裏面が支持される。従って、ＦＰＣ５を第１レバー体６に組み付ける際、ＦＰＣ５を係合部１５間に押し込んでも、ＦＰＣ５が必要以上に深くまで押し込まれることがない。よって、ＦＰＣ５に大きな変形が生じるのを防止でき、配線へのストレス付与を回避することができる。なお、第２裏面支持部４２は幅方向に直交のみならず、ＦＰＣ５を必要以上に押し込まれないように配置されれば、幅方向に略平行や斜め方向など、適宜の向きで配置されてもよいし、また、第１裏面支持部４１に対し離間して設けられてもよい。
【００５３】
以上の説明から分かるように、本実施の形態に係るレバースイッチ装置１は、ＦＰＣ５を第１レバー体６に対して安定的に保持させることができる。そのため、ＦＰＣ５をレバー本体３内に収容するときの作業性が向上する。また、第１レバー体６に設けられる係合部１５の係合面４０は、第１レバー体６の深さ方向、即ち、分割面に直交する方向へ直線的に延びており、「返し」を有していない。そのため、第１レバー体６を樹脂等により型成形する場合であっても、係合部１５を設ける位置に対する制約がなく、ＦＰＣ５を係止するのに好ましい適所に係合部１５を設けることができる。
【００５４】
なお、上述した説明ではレバー本体３を２分割の構成とした場合を例示したが、これに限られない。例えば３分割構造、あるいは、それ以上の多分割構造を採用してもよい。また、上述した係合部１５に加えて、製造上可能な箇所であれば「返し」を有する係合部を追加してもよい。
【００５５】
また、本実施の形態では、係合面４０として分割面に直交する方向へ直線的に延びるものを例示したが、これに限られない。即ち、係合面の対向距離が上端へ向かうに従って徐々に小さくなる構成であっても、分割面に直交する方向への型抜き（いわゆる「無理抜き」）によって成形できる程度であれば、採用することができる。
【産業上の利用可能性】
【００５６】
本発明は、ロータリースイッチ又はプッシュスイッチなどの操作部を有し、フレキシブル基板による配線構造を有するレバースイッチ装置に適用することができる。
【符号の説明】
【００５７】
１          レバースイッチ装置
２          接続部
３          レバー本体
４          操作部
５          フレキシブル基板（ＦＰＣ）
６          第１レバー体
７          第２レバー体
１５        係合部
１６        裏面支持部
４０        係合面
４１        第１裏面支持部
４２        第２裏面支持部
５０        被係合部
５１        スリット
５２        可撓部
【図１】
2020004638.tif 000003
【図２】
2020004638.tif 000004
【図３】
2020004638.tif 000005
【図４】
2020004638.tif 000006
【図５】
2020004638.tif 000007
【図６】
2020004638.tif 000008